【手続補正書】
【提出日】平成20年11月14日(2008.11.14)
【手続補正１】
【補正対象書類名】特許請求の範囲
【補正対象項目名】全文
【補正方法】変更
【補正の内容】
【特許請求の範囲】
【請求項１】
無線通信ネットワーク（１０４）において動作するハンドヘルド移動電話装置（２０２）から通信を開始するための方法であって、該方法が以下の工程：
該ハンドヘルド移動電話装置（２０２）に、表示および選択のメカニズム（３１２）及びＳＥＮＤキー（３０８）を有するユーザーインターフェースを提供する工程であって、該表示および選択のメカニズム（３１２）は、スクロールホイール、マウスおよびカーソルメカニズム、およびタッチスクリーン表示メカニズムのうちの１つを有する、工程；
該ハンドヘルド移動電話装置（２０２）の無線受信器（２１２）を通じてメッセージ（５０２）を受信する工程；
該メッセージ（５０２）を該ハンドヘルド移動電話装置（２０２）の視覚ディスプレイ（２２２）に視覚的に表示させる工程であって、該メッセージ（５０２）が電話番号列を有する工程；
該メッセージ（５０２）中の該電話番号列のハイパーリンク（５０６）を、該メッセージ（５０２）が該視覚ディスプレイ（２２２）に視覚的に表示される間、使用するために作る工程；
該メッセージ（５０２）を視覚的に表示する間に、該表示および選択のメカニズム（３１２）を用いて該視覚ディスプレイ（２２２）内の位置マーカーが該ハイパーリンク（５０６）上に置かれたときに、該電話番号列の該ハイパーリンク（５０６）を強調する工程；
該電話番号列と関係する通信を開始するために第１のユーザーインターフェース処理オプションを提供する工程であって、該ハイパーリンク（５０６）が強調されている間に、該表示および選択のメカニズム（３１２）の第１の押圧の検出に応答して、該電話番号列の機能リストを視覚的に表示させることを含み、該機能リストは、テキストメッセージ機能および電話呼び出し機能を有する、工程、
該電話番号列の機能リストが視覚的に表示されている間、該第１の押圧に続いて、該視覚および選択のメカニズム（３１２）の第２の押圧の検出に応答して、
仮に、該リストの中のテキストメッセージ機能が、該表示および選択のメカニズム（３１２）を通して選択されると、該テキストメッセージを電話番号列に対して開始するテキストメッセージ機能を処理する工程、
その代わりに、仮に、該リストの中の電話呼び出し機能が、該表示および選択のメカニズム（３１２）を通して選択されると、該電話番号列へ電話の呼び出しを、無線通信ネットワーク（１０４）を通して開始させる工程、
該電話番号列と関係する通信を開始するために第２のユーザーインターフェース処理オプションを提供する工程であって、該電話番号の該ハイパーリンク（５０６）が強調される間、該ＳＥＮＤキー（３０８）の一回の押圧の検出に応答して、介在する他のキーの押圧を検出することなく、ハイパーリンク（５０６）の強調に続いて、該無線通信ネットワーク（１０４）を通じて該電話番号列に電話呼び出しを開始することを含む工程、
を包含し、
前記ＳＥＮＤキー（３０８）が前記ユーザーインターフェースの機械的スイッチを有する、方法。
【請求項２】
無線通信ネットワーク（１０４）において動作するハンドヘルド移動電話装置（２０２）から通信を開始するための方法であって、該方法が以下の工程：
該ハンドヘルド移動電話装置（２０２）に、表示および選択のメカニズム（３１２）及びＳＥＮＤキー（３０８）を有するユーザーインターフェースを提供する工程であって、該表示および選択のメカニズム（３１２）は、スクロールホイール、マウスおよびカーソルメカニズム、およびタッチスクリーン表示メカニズムのうちの１つを有する、工程；
該ハンドヘルド移動電話装置（２０２）の無線受信器（２１２）を通じてメッセージ（５０２）を受信する工程；
該メッセージ（５０２）を該ハンドヘルド移動電話装置（２０２）の視覚ディスプレイ（２２２）に視覚的に表示させる工程であって、該メッセージ（５０２）が電話番号列を有する工程；
該メッセージ（５０２）中の該電話番号列のハイパーリンク（５０６）を、該メッセージ（５０２）が該視覚ディスプレイ（２２２）に視覚的に表示される間、使用するために作る工程；
該メッセージ（５０２）を視覚的に表示する間に、該表示および選択のメカニズム（３１２）を用いて該視覚ディスプレイ（２２２）内の位置マーカーが該ハイパーリンク（５０６）上に置かれたときに、該電話番号列の該ハイパーリンク（５０６）を強調する工程；
該電話番号列と関係する通信を開始するために第１のユーザーインターフェース処理オプションを提供する工程であって、該ハイパーリンク（５０６）が強調されている間に、該表示および選択のメカニズム（３１２）の第１の押圧の検出に応答して、該電話番号列の機能リストを視覚的に表示させることを含み、該機能リストは、テキストメッセージ機能および電話呼び出し機能を有する、工程、
該電話番号列の機能リストが視覚的に表示されている間、該第１の押圧に続いて、該視覚および選択のメカニズム（３１２）の第２の押圧の検出に応答して、
仮に、該リストの中のテキストメッセージ機能が、該表示および選択のメカニズム（３１２）を通して選択されると、該テキストメッセージを電話番号列に対して開始するテキストメッセージ機能を処理する工程、
その代わりに、仮に、該リストの中の電話呼び出し機能が、該表示および選択のメカニズム（３１２）を通して選択されると、該電話番号列へ電話の呼び出しを、無線通信ネットワーク（１０４）を通して開始させる工程、
該電話番号列と関係する通信を開始するために第２のユーザーインターフェース処理オプションを提供する工程であって、該電話番号の該ハイパーリンク（５０６）が強調される間、該ＳＥＮＤキー（３０８）の一回の押圧の検出に応答して、介在する他のキーの押圧を検出することなく、ハイパーリンク（５０６）の強調に続いて、該無線通信ネットワーク（１０４）を通じて該電話番号列に電話呼び出しを開始することを含む工程、
を包含し、
前記ＳＥＮＤキー（３０８）が前記ユーザーインターフェースの視覚ディスプレイ（２２２）に表示される視覚的オブジェクトを有する方法。
【請求項３】
請求項１又は請求項２に記載の方法であって、前記メッセージ（５０２）が電子メール（ｅ−ｍａｉｌ）メッセージを有する方法。
【請求項４】
請求項１又は請求項２に記載の方法であって、前記メッセージ（５０２）がウェブページのデータを有する方法。
【請求項５】
請求項１から請求項４のいずれか１項に記載の方法であって、前記表示および選択のメカニズム（３１２）がスクロールホイールを有する方法。
【請求項６】
請求項１から請求項４のいずれか１項に記載の方法であって、前記表示および選択のメカニズム（３１２）が、前記ハンドヘルド移動電話装置（２０２）の一側に配置されたスクロールホイールを有する方法。
【請求項７】
請求項１から請求項４のいずれか１項に記載の方法であって、前記表示および選択のメカニズム（３１２）が、マウスおよびカーソルメカニズムを有する方法。
【請求項８】
請求項１から請求項７のいずれか１項に記載の方法であって、該方法がさらに以下の工程：
通信を開始するために第３のユーザーインターフェース処理オプションを提供する工程を含み、
該工程が、電話用の数字キーをエンドユーザーが選択したことを検出した後に前記ＳＥＮＤキー（３０８）を一回押圧するのに応答して、前記無線通信ネットワーク（１０４）を通じて電話呼び出しを開始することを含み、該電話用のキーがキー０，１，２，３，４，５，６，７，８，９，＊，および＃を有する工程、
を包含する方法。
【請求項９】
ハンドヘルド移動電話装置（２０２）であって、以下：
１以上のプロセッサ（２３８）；
該１以上のプロセッサ（２３８）に接続される無線送受信器（２１１）であって、該無線送受信器（２１１）は、電話番号列を有するメッセージ（５０２）を受信するために有効である、無線送受信器（２１１）；
１以上のプロセッサ（２３８）及び該無線送受信器（２１１）を有するハウジング（３０２）；
視覚ディスプレイ（２２２）および複数のキー（２３２）を有する該ハウジング上のユーザーインターフェース；
を含み、
該複数のキー（２３２）は、ＳＥＮＤキー（３０８）を有し；
該ユーザーインターフェースは、スクロールホイール、マウスおよびカーソルメカニズム、およびタッチスクリーン表示メカニズムのうちの一つを有する、表示および選択のメカニズム（３１２）を有し、
該視覚ディスプレイ（２２２）は、該メッセージ（５０２）を表示するよう構成され、
該１以上のプロセッサ（２３８）は：
該メッセージ（５０２）中の該電話番号列のハイパーリンク（５０６）を、該メッセージ（５０２）が該視覚ディスプレイ（２２２）に視覚的に表示される間、使用するために作るために；
該メッセージ（５０２）を視覚的に表示する間に、エンドユーザーによって該表示および選択のメカニズム（３１２）を用いて該視覚ディスプレイ（２２２）内の位置マーカーが該ハイパーリンク（５０６）上に置かれたときに、該電話番号列の該ハイパーリンク（５０６）を、強調するために；
該電話番号列と関係する通信を開始するために第１のユーザーインターフェース処理オプションを提供するために操作され、
該ハイパーリンク（５０６）が強調されている間に、該表示および選択のメカニズム（３１２）の第１の押圧の検出に応答して、電話番号列の機能リストを視覚的に表示させる工程であって、該機能リストは、テキストメッセージ機能および電話呼び出し機能を有し、
該機能リストが視覚的に表示されている間、該第１の押圧に続いて、該視覚および選択のメカニズム（３１２）の第２の押圧の検出に応答して、
仮に、該リストの中のテキストメッセージ機能が、該表示および選択のメカニズム（３１２）を通して選択されると、該テキストメッセージを電話番号列に対して開始するテキストメッセージ機能を処理する工程、
その代わりに、仮に、該リストの中の電話呼び出し機能が、該表示および選択のメカニズム（３１２）を通して選択されると、該電話番号列へ電話の呼び出しを、無線通信ネットワーク（１０４）を通して開始させる工程、および
該電話番号列と関係する通信を開始するために第２のユーザーインターフェース処理オプションを提供する工程であって、該電話番号の該ハイパーリンク（５０６）が強調される間、該ＳＥＮＤキー（３０８）の一回の押圧の検出に応答して、介在する他のキーの押圧を検出することなく、ハイパーリンク（５０６）の強調に続いて、該無線通信ネットワーク（１０４）を通じて該電話番号列に電話呼び出しを開始することを含む工程、
を有し、
前記ＳＥＮＤキーが前記ユーザーインターフェースの機械的スイッチを有する、ハンドヘルド移動電話装置（２０２）。
【請求項１０】
ハンドヘルド移動電話装置（２０２）であって、以下：
１以上のプロセッサ（２３８）；
該１以上のプロセッサ（２３８）に接続される無線送受信器（２１１）であって、該無線送受信器（２１１）は、電話番号列を有するメッセージ（５０２）を受信するために有効である、無線送受信器（２１１）；
１以上のプロセッサ（２３８）及び該無線送受信器（２１１）を有するハウジング（３０２）；
視覚ディスプレイ（２２２）および複数のキー（２３２）を有する該ハウジング上のユーザーインターフェース；
を含み、
該複数のキー（２３２）は、ＳＥＮＤキー（３０８）を有し；
該ユーザーインターフェースは、スクロールホイール、マウスおよびカーソルメカニズム、およびタッチスクリーン表示メカニズムのうちの一つを有する、表示および選択のメカニズム（３１２）を有し、
該視覚ディスプレイ（２２２）は、該メッセージ（５０２）を表示するよう構成され、
該１以上のプロセッサ（２３８）は：
該メッセージ（５０２）中の該電話番号列のハイパーリンク（５０６）を、該メッセージ（５０２）が該視覚ディスプレイ（２２２）に視覚的に表示される間、使用するために作るために；
該メッセージ（５０２）を視覚的に表示する間に、エンドユーザーによって該表示および選択のメカニズム（３１２）を用いて該視覚ディスプレイ（２２２）内の位置マーカーが該ハイパーリンク（５０６）上に置かれたときに、該電話番号列の該ハイパーリンク（５０６）を、強調するために；
該電話番号列と関係する通信を開始するために第１のユーザーインターフェース処理オプションを提供するために操作され、
該ハイパーリンク（５０６）が強調されている間に、該表示および選択のメカニズム（３１２）の第１の押圧の検出に応答して、電話番号列の機能リストを視覚的に表示させる工程であって、該機能リストは、テキストメッセージ機能および電話呼び出し機能を有し、
該機能リストが視覚的に表示されている間、該第１の押圧に続いて、該視覚および選択のメカニズム（３１２）の第２の押圧の検出に応答して、
仮に、該リストの中のテキストメッセージ機能が、該表示および選択のメカニズム（３１２）を通して選択されると、該テキストメッセージを電話番号列に対して開始するテキストメッセージ機能を処理する工程、
その代わりに、仮に、該リストの中の電話呼び出し機能が、該表示および選択のメカニズム（３１２）を通して選択されると、該電話番号列へ電話の呼び出しを、無線通信ネットワーク（１０４）を通して開始させる工程、および
該電話番号列と関係する通信を開始するために第２のユーザーインターフェース処理オプションを提供する工程であって、該電話番号の該ハイパーリンク（５０６）が強調される間、該ＳＥＮＤキー（３０８）の一回の押圧の検出に応答して、介在する他のキーの押圧を検出することなく、ハイパーリンク（５０６）の強調に続いて、該無線通信ネットワーク（１０４）を通じて該電話番号列に電話呼び出しを開始することを含む工程、
を有し、
前記ＳＥＮＤキーが前記ユーザーインターフェースの視覚ディスプレイ（２２２）に表示される視覚的オブジェクトを有するハンドヘルド移動電話装置（２０２）。
【請求項１１】
請求項９又は請求項１０に記載のハンドヘルド移動電話装置（２０２）であって、前記メッセージ（５０２）が電子メール（ｅ−ｍａｉｌ）メッセージを有するハンドヘルド移動電話装置（２０２）。
【請求項１２】
請求項９又は請求項１０に記載のハンドヘルド移動電話装置（２０２）であって、前記メッセージ（５０２）がウェブページのデータを有するハンドヘルド移動電話装置（２０２）。
【請求項１３】
請求項９から請求項１２のいずれか１項に記載のハンドヘルド移動電話装置（２０２）であって、前記表示および選択のメカニズム（３１２）がスクロールホイールを有するハンドヘルド移動電話装置（２０２）。
【請求項１４】
請求項９から請求項１２のいずれか１項に記載のハンドヘルド移動電話装置（２０２）であって、前記表示および選択のメカニズム（３１２）が、マウスおよびカーソルメカニズムを有するハンドヘルド移動電話装置（２０２）。
【請求項１５】
請求項９から請求項１４のいずれか１項に記載のハンドヘルド移動電話装置（２０２）であって、該ハンドヘルド移動電話装置がさらに以下：
電話用キー０，１，２，３，４，５，６，７，８，９，＊，および＃を有する、複数のキー（２３２）を有し、
前記１以上のプロセッサ（２３８）がさらに、該電話用キーをエンドユーザーが選択したことを検出した後に前記ＳＥＮＤキー（３０８）を一回押圧するのに応答して、前記無線通信ネットワーク（１０４）を通じて電話呼び出しを開始するために有効である、ハンドヘルド移動電話装置（２０２）。
【請求項１６】
移動局からの電話呼び出しを開始するためのコンピュータプログラム製品であって、該コンピュータプログラム製品が、ストレージメディアおよび該ストレージメディアに記憶されるコンピュータ指示を有し、該コンピュータ指示が、該プログラムがコンピュータ上で実行される場合、請求項１から請求項８のうちいずれか１項に記載の方法のすべての工程を実行する１以上のプロセッサによって実行可能であるコンピュータプログラム製品。